(57)【要約】  【課題】閉止状態を確実ならしめ、安っぽい操作感も払拭でき、部品点数の削減にも有効となる新規有用なラッチ装置を提供する。  【解決手段】係留部２１ａを有するラッチ受け２１と、係留部２１ａに係脱可能なラッチ係合部２２ａを有するラッチ２２とを具備し、このラッチ２２をラッチ受け２１に対し相対的に接離移動させた際に、所定接近位置で前記ラッチ係合部２２ａを前記ラッチ受け２１の係留部２１ａに係合させて当該接近位置からラッチ２２の離反移動を禁止するようにする。そして、前記所定接近位置においてラッチ係合部２２ａがラッチ受け２１の係留部２１ａに係合した状態からラッチ２２を相対的にラッチ受け２１より離反移動させるＸ方向の外力が働いた際に、ラッチ２２に作用する反作用力Ｆが、ラッチ係合部２２ａをより深く係留部２１ａに係合させる方向の動作に変換されるように構成した。  【選択図】図３
2005344293.tif 000002
【特許請求の範囲】
【請求項１】
係留部を有するラッチ受けと、前記係留部に係脱可能なラッチ係合部を有するラッチとを具備し、このラッチを前記ラッチ受けに対し相対的に接離移動させた際、所定接近位置で前記ラッチ係合部を前記ラッチ受けの係留部に係合させて当該接近位置からラッチの離反移動を禁止するようにしたものであって、
前記所定接近位置においてラッチ係合部がラッチ受けの係留部に係合した状態から当該ラッチを相対的にラッチ受けより離反移動させる方向の外力が働いた際に、前記ラッチに作用する反作用力が、ラッチ係合部の係留部に対する係脱動作に変換されないか若しくはラッチ係合部をより深く係留部に係合させる方向の動作に変換されるように構成したことを特徴とするラッチ装置。
【請求項２】
前記ラッチの係脱動作が回転を含む動作であって、その回転中心が、前記係留部に前記ラッチ係合部を係合させる作用点よりも前記ラッチの接近方向の進み側に位置している請求項１記載のラッチ装置。
【請求項３】
前記作用点近傍における前記ラッチ係合部の外縁が、前記回転の軌跡に略対応する略部分円弧状をなす請求項２記載のラッチ装置。
【請求項４】
ラッチを引き手によって駆動するようにしたものであって、引き手に加えられる操作力をラッチに伝達する駆動片を当該引き手とともに押し出し成形によって一体に設け、この駆動片の押し出し方向に沿った適宜位置に前記ラッチを係合させている請求項２又は３記載のラッチ装置。
【請求項５】
ラッチを引き手によって駆動するようにしたものであって、引き手をハウジングに収容するとともに引き手の周囲に手指挿入空間を形成し、この手指挿入空間よりも奥方に位置する前記ハウジングの壁部にラッチを取り付けている請求項２又は３記載のラッチ装置。
【請求項６】
ハウジングの奥方に向かうにつれて相寄る方向に傾斜する一対のテーパ壁を設け、これらのテーパ壁間を通過させつつ奥方に挿入することによってラッチを回転可能に取り付けている請求項５記載のラッチ装置。
【請求項７】
引き手から駆動片に亘る領域の一部に押し出し成形に伴って軸挿入孔を設け、この軸挿入孔に、軸心から変位した変位部を有する軸を押し出し方向に挿入している請求項４記載のラッチ装置。
【請求項８】
請求項１〜７記載のラッチ装置を用いてなるものであって、
収納空間を有する家具本体と、前記収納空間を開閉する蓋体とを少なくとも具備し、
前記家具本体にラッチ受けを設け、前記蓋体にラッチを設けていることを特徴とする家具。
【発明の詳細な説明】
【技術分野】
【０００１】
本発明は、少ない部品点数で蓋体等に対する閉止状態を確実ならしめたラッチ装置に関する。
【背景技術】
【０００２】
この種のラッチ装置が採用される家具として、例えば、収納空間を有する家具本体と、前記収納空間を開閉する蓋体とを少なくとも具備し、前記家具本体にラッチ受けを設け、前記蓋体にラッチを設けるようにしたものが知られている。
【０００３】
このうち、蓋体内にロッドを設けるとともに、このロッドの両端にラッチを取り付け、蓋体の一部に設けた引き手の操作力をロッドを介してこれらのラッチに伝達するように構成して、家具本体の対応位置に形成したラッチ受けの係留部にラッチを係合させるようにしたものがある。しかしながら、このような構造のものは蓋体にロッドを取り付けなければならないため、部品点数や作業工数の多いものにならざるを得ない。
【０００４】
これに対して、例えば特許文献１に示すように、蓋体側における把手部分にバネにより常にテンションが掛かった状態でラッチを設け、このラッチを、家具本体側の対応部位に設けたラッチ受けに係合させるようにしたものが知られている。
【特許文献１】実開昭４９−１０９８３１号公報
【発明の開示】
【発明が解決しようとする課題】
【０００５】
ところが、かかるラッチ装置の把手は単に手を掛けるのみの構造であり、蓋体全体に手前への外力が加われば、容易にラッチがラッチ受けから解除されて蓋体が開く。このため、閉止状態に確実性を期し難いという問題がある。しかも、可動式の引き手ではないため、操作感も安っぽいものにならざるを得ない。
【０００６】
このような不具合は、バネの代わりに磁力に頼る構造を採用したラッチ装置においても全く同様である。
【０００７】
本発明は、このような課題に着目してなされたものであって、閉止状態を確実ならしめ、安っぽい操作感も払拭でき、部品点数の削減にも有効となる新規有用なラッチ装置を提供しようとするものである。
【課題を解決するための手段】
【０００８】
本発明は、かかる目的を達成するために、次のような手段を講じたものである。
【０００９】
すなわち、本発明のラッチ装置は、係留部を有するラッチ受けと、前記係留部に係脱可能なラッチ係合部を有するラッチとを具備し、このラッチを前記ラッチ受けに対し相対的に接離移動させた際、所定接近位置で前記ラッチ係合部を前記ラッチ受けの係留部に係合させて当該接近位置からラッチの離反移動を禁止するようにしたものであって、前記所定接近位置においてラッチ係合部がラッチ受けの係留部に係合した状態から当該ラッチを相対的にラッチ受けより離反移動させる方向の外力が働いた際に、前記ラッチに作用する反作用力が、ラッチ係合部の係留部に対する係脱動作に変換されないか若しくはラッチ係合部をより深く係留部に係合させる方向の動作に変換されるように構成したことを特徴とする。
【００１０】
このようなものであれば、ラッチ受けに掛け止めたラッチをそのまま離反移動させようとした場合に、係留部からラッチ係合部が解除される方向にラッチが変位することを抑止できるので、ラッチ受けにラッチを掛け止めた状態を安定保持することができる。このことは、ラッチ受けにラッチを掛け止めたときの遊び、がたつきを極力小さく設計する上でも有効となる。
【００１１】
具体的な実施の態様としては、前記ラッチの係脱動作が回転を含む動作であって、その回転中心が、前記係留部に前記ラッチ係合部を係合させる作用点よりも前記ラッチの接近方向の進み側に位置しているものが挙げられる。
【００１２】
ラッチのスムーズな挙動を確保するためには、前記作用点近傍における前記ラッチ係合部の外縁が、前記回転の軌跡に略対応する略部分円弧状をなすように構成しておくことが望ましい。
【００１３】
ラッチを引き手によって駆動するようにしている場合において、設計の自由度を有効に高め、直動によって部品点数の削減を図り、安っぽい操作感も払拭するためには、引き手に加えられる操作力をラッチに伝達する駆動片を当該引き手とともに押し出し成形によって一体に設け、この駆動片の押し出し方向に沿った適宜位置に前記ラッチを係合させるように構成しておくことが有効である。
【００１４】
或いは、ラッチを引き手によって駆動するようにしている場合において、ラッチの回転中心を奥方に位置づけることを容易にするためには、引き手をハウジングに収容するとともに引き手の周囲に手指挿入空間を形成し、この手指挿入空間よりも奥方に位置する前記ハウジングの壁部にラッチを取り付けるように構成しておくことが効果的である。
【００１５】
ラッチの組み込みに便ならしめるためには、ハウジングの奥方に向かうにつれて相寄る方向に傾斜する一対のテーパ壁を設け、これらのテーパ壁間を通過させつつ奥方に挿入することによってラッチを回転可能に取り付けるように構成しておくことが好ましい。
【００１６】
簡素な取付構造で引き手を軸に確実に取り付けるためには、引き手から駆動片に亘る領域の一部に押し出し成形に伴って軸挿入孔を設け、この軸挿入孔に、軸心から変位した変位部を有する軸を押し出し方向に挿入するようにしておくことが好適である。
【００１７】
本発明は、以上のようなラッチ装置であるから、収納空間を有する家具本体と、前記収納空間を開閉する蓋体とを少なくとも具備する家具に対して、前記家具本体にラッチ受けを設け、前記蓋体にラッチを設けることが一つの有用な実施の態様となり得る。
【発明の効果】
【００１８】
本発明は、以上説明した構成であるから、家具本体に対する蓋体等の閉止状態を確実ならしめ、安っぽい操作感も払拭でき、部品点数の削減にも有効となる新規有用なラッチ装置を提供することができる。
【発明を実施するための最良の形態】
【００１９】
以下、本発明の一実施形態を、図面を参照して説明する。
【００２０】
この実施形態のラッチ装置が適用される家具は、図１に示すように、オフィス等で使用されるデスク１である。本実施形態のデスク１は、両袖タイプのものであって、左側の袖部１１が筐体１１ａに引き出し１１ｂ、１１ｃを取り付けた構造のものであるのに対して、右側の袖部１２は筐体１２ａに片開きの蓋体たる扉１２ｂを開閉可能に支持させたものである。そして、この扉１２ｂの引き手１３と、収納空間を有する前記筐体１２ａとの間に、本発明のラッチ装置２を組み込んでいる。
【００２１】
ラッチ装置２は、図２〜図４に示すように、家具本体である筐体１２ａ側に設けた係留部２１ａを有するラッチ受け２１と、扉１２ｂ側に設けられて前記係留部２１ａに係脱可能なラッチ係合部２２ａを有するラッチ２２とを具備する。そして、扉１２ｂを筐体１２ａに対して接離移動させ、これに伴ってラッチ２２が図中矢印Ｘで示すように前記ラッチ受け２２ａに対し接離移動した場合に、扉１２ｂが筐体１２ａの収納空間Ｓを閉止することとなる図２及び図３に示す所定接近位置で、前記ラッチ係合部２２ａを前記ラッチ受け２１の係留部２１ａに係合させて、当該接近位置からのラッチ２２ひいては扉１２ｂの離反移動を禁止するようにしている。
【００２２】
具体的に説明すると、ラッチ２２は、扉１２ｂに取り付けたハウジングＨ内に配置されているもので、このハウジングＨは、後壁部ｈ１と、左右の側壁部ｈ２、ｈ３とを具備し、内部に引き手１３を収容するとともに、引き手１３の周囲に手指挿入空間ｈ４を形成し、この手指挿入空間ｈ４よりも奥方に位置する前記ハウジングＨの左側壁部ｈ２にラッチ２２を取り付けたユニット構造をなす。その際、ラッチ２２を引き手１３によって駆動するために、当該引き手１３とともに駆動片１４を押し出し成形によって一体に設け、この駆動片１４の押し出し方向に沿った適宜位置に前記ラッチ２２に形成した係合凹所２２ｂを係合させて、引き手１３に加えられる操作力をラッチ２２に伝達するようにしている。引き手１３と駆動片１４とは、平断面略Ｌ字状に連続しているもので、引き手１３から駆動片１４に亘る領域の一部（本実施形態では境界部）に押し出し成形に伴って横断面長円形状の軸挿入孔１５を設け、この軸挿入孔１５に、図４に示すように軸心から変位した変位部１６ａを有する軸１６を押し出し方向に挿入している。その軸１６は、ハウジングＨの内部に設けられ一部が開放された上下の軸支孔ｈ５、ｈ６に側方から圧入して支持させるようにしている。
【００２３】
ハウジングＨの左側壁部ｈ２には、奥方に向かうにつれて相寄る方向に傾斜する一対のテーパ壁ｈ７、ｈ８が上下に対をなして設けてあり、これらのテーパ壁ｈ７、ｈ８間を通過させつつ奥方に挿入することによってラッチ２２を回転可能に取り付けている。そのために、上テーパ面ｈ７の奥方には次に述べるラッチ２２の上軸部２２ｃを挿入する軸支孔ｈ７１が、また下テーパ面ｈ８には経過的に弾性変形して次に述べるラッチ２２の下軸部２２ｄを奥方に誘導、かつ安定支持する軸ガイド孔ｈ８１が設けてある。
【００２４】
ラッチ２２は、樹脂製のもので、回転中心を与える前記上軸部２２ｃ及び下軸部２２ｄを突設し、これらの軸部２２ｃ、２２ｄの前方にラッチ係合部２２ａを形成した樹脂製のものであるのに対して、ラッチ受け２１は、筐体１２ａの側壁１２ａ１の内面に取り付けた袋状をなす樹脂製のものであって、このラッチ受け２１の内側方における開口の前方位置に設定した係留部２１ａに前記ラッチ２２のラッチ係合部２２ａを係り合わせるようにしている。
【００２５】
すなわち、このラッチ２２の係脱動作は前記軸部２２ｃ、２２ｄを中心とした回転動作によることとなるが、その回転中心を与える前記軸部２２ｃ、２２ｄが、前記係留部２１ａに前記ラッチ係合部２２ａを係合させた際の作用点Ｐ（図３参照）よりも前記ラッチ２２の接近方向の進み側（つまり奥方）に位置するように設定している。そして、前記作用点Ｐ近傍における前記ラッチ係合部２２ａの外縁を、前記軸部２２ｃ、２２ｄ回りの回転の軌跡に略対応する略部分円弧状のものにしている。
【００２６】
しかして、このラッチ２２は、前記軸部２２ｃに巻回され一端２３ａをハウジングＨの後壁部ｈ１に支持させるとともに他端２３ｂを前記ラッチ係合部２２ａ近傍に設けた切欠２２ｂに係合させたねじりコイルバネ２３によって、ラッチ２２をハウジングＨの左側壁部ｈ２に設けた側窓ｈ２１から外方へ突出する方向に弾性付勢している。
【００２７】
すなわち、扉１２ｂを図２に想像線で示す位置から筐体１２ａに近づけていくと、ラッチ２２が経過的にその側面２２ｘを係留部２１ａの側面２１ｘに押圧されてねじりコイルバネ２３を圧縮しながら側窓ｈ２１内に没入しつつ図２中矢印Ｘに沿って係留部２１ａの側方を通過し、通過後の所定近接位置でねじりコイルバネ２３の復元力によって図３中矢印Ｙで示すように回転しながらラッチ係合部２２ａをラッチ受け２１の係留部２１ａに係合させる。
【００２８】
しかして、かかる所定接近位置においてラッチ係合部２２ａが係留部２１ａに係合した状態から、当該ラッチ２２を相対的にラッチ受け２１より離反移動させる方向（図２における矢印Ｘに沿った下方向）の外力が働いた際、前記ラッチ２２に作用する反作用力Ｆ（図３参照）がラッチ２２の軸部２２ｃ、２２ｄよりも左方向へ変位した部位に向かうため、ラッチ係合部２２ａを図中矢印Ｙ方向に沿ってより深く係留部２１ａに係合させる方向のラッチ２２の動作に変換される。勿論、反作用力Ｆが丁度軸部２２ｃ、２２ｄの方向を向けば、ラッチ係合部２２ａの係留部２１ａに対する係脱動作に変換されることはない。
【００２９】
一方、引き手１３を図３の状態→図２の状態に操作した場合には、ラッチ２２が図３における矢印Ｙとは反体方向に駆動され、ラッチ係合部２２ａとラッチ受け２１の係留部２１ａとの係合が解除されるので、その状態で引き手１３を手前に引けば、ラッチ係合部２２ａが扉１２ｂとともに所定接近位置から離反移動して、収納空間Ｓが開放されることとなる。
【００３０】
以上のように、本実施形態のラッチ装置２は、係留部２１ａを有するラッチ受け２１と、前記係留部２１ａに係脱可能なラッチ係合部２２ａを有するラッチ２２とを具備し、このラッチ２２を前記ラッチ受け２１に対し相対的に接離移動させた際に、所定接近位置で前記ラッチ係合部２２ａを前記ラッチ受け２１の係留部２１ａに係合させて当該接近位置からラッチ２２の離反移動を禁止するようにしたものである。そして、前記所定接近位置においてラッチ係合部２２ａがラッチ受け２１の係留部２１ａに係合した状態から当該ラッチ２２を相対的にラッチ受け２１より離反移動させるＸ方向の外力が働いた際に、前記ラッチ２２に作用する反作用力Ｆが、ラッチ係合部２２ａの係留部２１ａに対する係脱動作に変換されないか若しくはラッチ係合部２２ａをより深く係留部２１ａに係合させる方向の動作に変換されるようにしている。
【００３１】
このため、ラッチ受け２１に掛け止めたラッチ２２をそのまま離反移動させようとする外力が作用しても、係留部２１ａから」ラッチ係合部２２ａが解除される方向にラッチ２２が変位することを抑止することができ、ラッチ受け２１にラッチ２２を掛け止めた状態を安定的に保持することが可能となる。そして、ラッチ受け２１にラッチ２２を掛け止めたときの遊び、がたつきも極力小さく抑えることができ、扉１２ｂの確実で適正な閉止状態を実現することが可能となる。
【００３２】
具体的な実施の態様としては、前記ラッチ２２の係脱動作が回転動作であって、その回転中心が、前記係留部２１ａに前記ラッチ係合部２２ａを係合させる作用点Ｐよりも前記ラッチ２２の接近方向の進み側（奥方）に位置しているため、ラッチ受け２１にラッチ２２が接近する際に先に進行した回転中心回りにラッチ２２が回転しながらその外縁が描く軌跡をラッチ受け２１に設定した係留部２１ａに近接させて、ラッチ係合部２２ａを係留部２１ａに回り込ませることができる。しかも、ラッチ受け２１に掛け止めたラッチ２２をそのまま離反移動させようとした場合の反作用力Ｆを、回転中心から変位した部位に向かわせてラッチ係合部２２ａをより深くラッチ係留部２１ａに係合させる方向に作用させることが容易に可能となる。また、これのみならず、ラッチ係合部２２ａの外縁がラッチ受け２１の係留部２１ａに摺動しながら該係留部２１ａに大きな力を及ぼすトグル作用を営ませて、ラッチ２２とラッチ受け２１との係合、ひいては筐体１２ａに対する扉１２ｂの係留を強固なものとすることもできる。よって、ラッチ受け２１にラッチ２２を掛け止めたときの遊び、がたつき低減の実効を有効に図ることが可能となる。
【００３３】
また、前記作用点Ｐ近傍における前記ラッチ係合部２２ａの外縁が、前記回転の軌跡に略対応する略部分円弧状をなしているため、ラッチ２２を変位させた際にそのラッチ係合部２２ａをスムーズにラッチ受け２１の係留部２１ａに係合させることができ、かつ係留部２１ａに係合しているラッチ２２を変位させてスムーズにその係合を解除することも可能となる。
【００３４】
特に、この実施形態は、ラッチ２２を可動式の引き手１３によって駆動するようにしており、安っぽい操作感を払拭することができるものであるが、引き手１３に加えられる操作力をラッチ２２に伝達する駆動片１４を当該引き手１３とともに押し出し成形によって一体に設け、この駆動片１４の押し出し方向に沿った適宜位置に前記ラッチ２２を係合させるようにしているため、引き手１３の組み込み位置とラッチ２２の組み込み位置の間に一義的な関係が必要でなくなり、ラッチ２２の組み込み位置に関する設計の自由度を有効に高めることができる。
【００３５】
或いは、ラッチ２２を引き手１３によって駆動するに際して、引き手１３をハウジングＨに収容するとともに引き手１３の周囲に手指挿入空間ｈ４を形成し、この手指挿入空間ｈ４よりも奥方に位置する前記ハウジングＨの左側壁部ｈ２にラッチ２２を取り付けるようにしているため、ラッチ２２の奥方にハウジングＨの壁部が位置することが必然となるハウジング構造を好適に利用して、ラッチ２２の回転中心を奥方に位置づける構成を無理なく容易に実現することができる。
【００３６】
さらに、ハウジングＨの奥方に向かうにつれて相寄る方向に傾斜する一対のテーパ壁ｈ７、ｈ８を設け、これらのテーパ壁ｈ７、ｈ８間を通過させつつ奥方に挿入することによってラッチ２２を回転可能に取り付けるように構成しているため、ラッチ２２の組み込み作業を極めて簡便なものにすることができる。
【００３７】
さらにまた、引き手１３から駆動片１４に亘る領域の一部に押し出し成形に伴って軸挿入孔１５を設け、この軸挿入孔１５に、軸心から変位した変位部１６ａを有する軸１６を押し出し方向に挿入するようにしているため、引き手１３を軸１６にガタつきなく取り付ける構造を簡素に実現することができ、ロッド等を使用しない直接駆動構造を通じて部品点数の削減も有効に図ることができる。
【００３８】
本実施形態は、以上のようなラッチ装置２であるから、収納空間を有する家具本体たる筐体１２ａと、前記収納空間を開閉する蓋体たる扉１２ｂとを少なくとも具備する家具であるデスクに対して、前記筐体１２ａにラッチ受け２１を設け、前記扉１２ｂにラッチ２２を設けることで、筐体１２ａに対する扉１２ｂの閉止状態の安定化等を容易に実現することが可能となる。
【００３９】
なお、各部の具体的な構成は、上述した実施形態のみに限定されるものではなく、本発明の趣旨を逸脱しない範囲で種々変形が可能である。
【図面の簡単な説明】
【００４０】
【図１】本発明の一実施形態に係るラッチ装置を適用したデスクの斜視図。
【図２】同実施形態に係るラッチ装置の要部拡大平断面図。
【図３】図３に対応した作用説明図。
【図４】同実施形態に係るラッチ装置の分解斜視図。
【符号の説明】
【００４１】
１…家具（デスク）
２…ラッチ装置
１２ａ…家具本体（筐体）
１２ｂ…蓋体（扉）
１３…引き手
１４…駆動片
１５…軸挿入孔
１６…軸
１６ａ…変位部
２１…ラッチ受け
２１ａ…係留部
２２…ラッチ
２２ａ…ラッチ係合部
Ｆ…反作用力
Ｈ…ハウジング
ｈ２…側壁部
ｈ４…手指挿入空間
ｈ７、ｈ８…テーパ壁
Ｐ…作用点
【図１】
2005344293.tif 000003
【図２】
2005344293.tif 000004
【図３】
2005344293.tif 000005
【図４】
2005344293.tif 000006